(57)【特許請求の範囲】
【請求項１】
それぞれが互いに異なる行動を促す複数の第１情報を出力する出力部と、
前記第１情報が示す行動をユーザが行った時の当該ユーザの第１脳波情報を、前記第１情報別に取得して記憶部に記憶させる取得部と、
前記記憶部が記憶している前記第１脳波情報に基づいて、前記複数の第１情報から前記ユーザが行うべき行動を示す第２情報を選択する選択部と、
を備え、
前記取得部は、前記第１脳波情報を時刻別に前記記憶部に記憶させ、
前記選択部は前記第２情報を選択しようとする時刻の前記第１脳波情報に基づいて前記第２情報を選択する情報処理装置。
【請求項２】
請求項１に記載の情報処理装置において、
前記選択部は、前記第１脳波情報における特定の周波数帯の脳波の強度が最も高い第１情報を前記第２情報として選択する
情報処理装置。
【請求項３】
請求項１または２に記載の情報処理装置において、
前記取得部は、前記第２情報を選択しようとするタイミングで前記ユーザの第２脳波情報を取得し、
前記選択部は、前記第２脳波情報が事前に定められた基準を満たさない場合、前記第１脳波情報に含まれるθ波の強度に基づいて前記第２情報を選択する
情報処理装置。
【請求項４】
請求項３に記載の情報処理装置において、
前記選択部は、前記第２脳波情報に含まれるβ波の強度が事前に定められた基準を満たす場合、前記第２情報を選択する前に、α波の強度を高めるために前記ユーザが行うべき行動を示す情報を前記複数の第１情報から選択する
情報処理装置。
【請求項５】
請求項３または４に記載の情報処理装置において、
前記選択部は、前記第１脳波情報における特定の周波数帯の脳波の強度が高い順に前記第２情報を選択し、
前記出力部は、前記選択部が選択した前記第２情報を出力し、前記第２情報を出力した後、所定時間内に前記第２脳波情報における当該特定の周波数帯の脳波の強度が事前に定められた基準を満たすようにならなかった場合、次の前記第２情報を出力する
情報処理装置。
【請求項６】
請求項５に記載の情報処理装置において、
前記出力部は、事前に定められた基準数以上の前記第２情報を出力した後、前記第２脳波情報における当該特定の周波数帯の脳波の強度が事前に定められた基準を満たすようにならなかった場合、前記ユーザに休憩を取ることを促す情報を出力する
情報処理装置。
【請求項７】
請求項３〜６のいずれか一項に記載の情報処理装置において、
前記出力部は、前記第２脳波情報が事前に定められた基準を満たす場合、知的活動を促す情報を出力する
情報処理装置。
【請求項８】
請求項３〜７のいずれか一項に記載の情報処理装置において、
前記出力部は、前記第２脳波情報に含まれるα波の強度およびβ波の強度のいずれもが事前に定められた基準を満たさない場合、前記ユーザに目覚めを促す情報を出力する
情報処理装置。
【請求項９】
請求項１〜８のいずれか一項に記載の情報処理装置において、
前記取得部は、前記第２情報が示す行動をとった時の前記ユーザの第３脳波情報を用いて、前記記憶部における、当該第２情報に対応する前記第１情報の前記第１脳波情報を更新する
情報処理装置。
【請求項１０】
請求項１〜９のいずれか一項に記載の情報処理装置において、
前記第１脳波情報は、前記第１情報が示す行動をとり始めてからの時間と特定の周波数帯の脳波の強度との関係を示す情報を含み、
前記選択部は、前記ユーザに設定された特定の行動を開始するまでの時間に基づいて、前記第２情報を選択する
情報処理装置。
【請求項１１】
それぞれが互いに異なる行動を促す複数の第１情報を出力する出力部と、
前記第１情報が示す行動をユーザが行った時の当該ユーザの第１脳波情報を、前記第１情報別に取得して記憶部に記憶させる取得部と、
前記記憶部が記憶している前記第１脳波情報に基づいて、前記複数の第１情報から前記ユーザが行うべき行動を示す第２情報を選択する選択部と、
を備え、
前記取得部は、前記第２情報を選択しようとするタイミングで前記ユーザの第２脳波情報を取得し、
前記選択部は、前記第２脳波情報が事前に定められた基準を満たさない場合、前記第１脳波情報に含まれるθ波の強度に基づいて前記第２情報を選択する
情報処理装置。
【請求項１２】
情報処理装置を実現するためのコンピュータプログラムであって、
コンピュータを、
それぞれが互いに異なる行動を促す複数の第１情報を出力する出力手段、
前記第１情報が示す行動をユーザが行った時の当該ユーザの第１脳波情報を、前記第１情報別に取得して記憶手段に記憶させる取得手段、および
前記記憶手段が記憶している前記第１脳波情報に基づいて、前記複数の第１情報から前記ユーザが行うべき行動を示す第２情報を選択する選択手段、
として機能させ、
さらに、
前記取得手段は、前記第１脳波情報を時刻別に前記記憶部に記憶させ、
前記選択手段は、前記第２情報を選択しようとする時刻の前記第１脳波情報に基づいて前記第２情報を選択するコンピュータプログラム。
【発明の詳細な説明】
【技術分野】
【０００１】
本発明は、情報処理装置およびコンピュータプログラムに関する。
【背景技術】
【０００２】
人が学習や創作活動を行うとき、その時々によって、はかどる場合と、はかどらない場合がある。また、脳波の状況により、その人がとる行動としての適不適が存在することが知られている。
【０００３】
たとえば、特許文献１には、ユーザの脳波を解析し、脳の状態を判定して、とるべき行動の選択肢を提示する技術が記載されている。たとえば特許文献１の方法では、活力がない状態と判定された場合には活力を高めるような選択肢が提示される。
【先行技術文献】
【特許文献】
【０００４】
【特許文献１】特開２０１０−２３３７１９号公報
【発明の概要】
【発明が解決しようとする課題】
【０００５】
しかし、特許文献１の技術は、ある目的の行動をとるときに適した脳の状態を作り出すものではなかった。
【０００６】
本発明が解決しようとする課題としては、ユーザに、ある目的の行動をとるときに適した脳の状態を作り出すための方法を提示することが一例として挙げられる。
【課題を解決するための手段】
【０００７】
請求項１に記載の発明は、
それぞれが互いに異なる行動を促す複数の第１情報を出力する出力部と、
前記第１情報が示す行動をユーザが行った時の当該ユーザの第１脳波情報を、前記第１情報別に取得して記憶部に記憶させる取得部と、
前記記憶部が記憶している前記第１脳波情報に基づいて、前記複数の第１情報から前記ユーザが行うべき行動を示す第２情報を選択する選択部と、
を備える情報処理装置である。
【０００８】
請求項１２に記載の発明は、
情報処理装置を実現するためのコンピュータプログラムであって、
コンピュータを、
それぞれが互いに異なる行動を促す複数の第１情報を出力する出力手段、
前記第１情報が示す行動をユーザが行った時の当該ユーザの第１脳波情報を、前記第１情報別に取得して記憶手段に記憶させる取得手段、および
前記記憶手段が記憶している前記第１脳波情報に基づいて、前記複数の第１情報から前記ユーザが行うべき行動を示す第２情報を選択する選択手段、
として機能させるためのコンピュータプログラムである。
【図面の簡単な説明】
【０００９】
【図１】実施形態に係る情報処理装置の機能構成を示すブロック図である。
【図２】実施形態に係る情報処理装置の動作を示すフローチャートである。
【図３】実施例１に係る情報処理装置の機能構成を示すブロック図である。
【図４】実施例１に係る情報処理装置の動作を示すフローチャートである。
【図５】実施例２に係る情報処理装置の動作を示すフローチャートである。
【図６】実施例３に係る情報処理装置の動作を示すフローチャートである。
【図７】実施例５に係る情報処理装置の機能構成を示すブロック図である。
【図８】ユーザが第１情報が示す行動を取り始めてからの時間（誘導時間）と、θ波の強度変化量との関係を例示する図である。
【図９】実施例６に係る情報処理装置の使用方法を、その使用環境とともに示す図である。
【図１０】実施例６において、情報処理装置が表示する画面の一例を示す図である。
【図１１】実施例７に係る情報処理装置の構成を示す図である。
【図１２】実施例７における本体装置を示す図である。
【図１３】実施例７における測定装置をユーザが装着した状態示す図である。
【図１４】第１情報が出力された際の表示画面の例を複数示す図である。
【図１５】知的活動を促す情報が出力された際の表示画面の例を示す図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
以下に示す説明において、情報処理装置１０の各構成要素は、ハードウエア単位の構成ではなく、機能単位のブロックを示している。情報処理装置１０の各構成要素は、任意のコンピュータのＣＰＵ、メモリ、メモリにロードされたプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１２】
図１は、実施形態に係る情報処理装置１０の機能構成を示すブロック図である。本実施形態に係る情報処理装置１０は、出力部１１０、取得部１３０、および選択部１５０を備える。出力部１１０は、それぞれが互いに異なる行動を促す複数の第１情報を出力する。取得部１３０は、第１情報が示す行動をユーザが行った時の当該ユーザの第１脳波情報を、第１情報別に取得して記憶部１７０に記憶させる。選択部１５０は、記憶部１７０が記憶している第１脳波情報に基づいて、複数の第１情報からユーザが行うべき行動を示す第２情報を選択する。以下に詳細を説明する。
【００１３】
本実施形態に係る情報処理装置１０は、記憶部１７０および測定部１２０をさらに備える。ただし、記憶部１７０は、情報処理装置１０とは別に設けられたメモリやサーバー等に設けられた記憶装置であっても良い。また、測定部１２０は、情報処理装置１０とは別に設けられた測定手段であっても良い。
【００１４】
何かを記憶しようとするとき、その時々によって、よく記憶ができたり、記憶がよく定着したりする場合と、なかなか記憶ができなかったり、記憶してもすぐに忘れてしまったりする場合とがある。これらの違いの１つには、その時々の脳の状態の違いがあると考えられ、ある目的の行動をしようとするときには、それに適した脳の状態がある。脳の状態は脳波を解析することで知ることができる。たとえば、脳波においてα波の強度が高い場合、リラックスした状態であり、ひらめき、問題解決、集中力等を発揮するのに適した状態である。β波の強度が高い場合、緊張または興奮した状態であり、単純作業や慣れた作業をするのに適した状態である。θ波の強度が高い場合、リラックスした状態であり記憶力や情報の吸収力が高まる状態である。そしてδ波の強度が高い場合、睡眠か無意識の状態である。
【００１５】
また、これらの脳波のそれぞれについて、その脳波を強めるための行動がある程度知られている。たとえば、θ波の強度を高める行動としては、目を閉じる、バイノーラルビートを聞く、トイレに行く、運動をする（自転車に乗る、歩くなど）、布団の上に乗る、紅茶またはコーヒーを飲む、仮眠を取る、音楽を聴くまたは演奏する、好みの香りをかぐ、マッサージをするまたは受ける、豆類、乳製品、ナッツ類、バナナ、または卵黄を摂取する、太陽光を浴びる等の行動が挙げられる。
【００１６】
ただし、それらの行動を行った場合の脳の反応は、人によってそれぞれ異なるため、どの行動がその人にとって特に有効であるかは分からない。また、他の人にとって有効な行動が、その人にとって必ずしも有効であるとは限らない。
【００１７】
本実施形態に係る情報処理装置１０では、事前にユーザが実際にある行動を行った時の脳の反応に基づいて、その時とるべき行動を提示することにより、そのユーザにとってより効果的な行動を提示することができる。ユーザは、提示された行動をとることにより、たとえば暗記や創作活動等の目的の行動に適した脳の状態を実現できる。
【００１８】
情報処理装置１０において、出力部１１０は、複数の第１情報を順に出力する。第１情報はユーザに行動を促す情報であり、複数の第１情報は、それぞれが互いに異なる行動を促す情報である。第１情報はたとえば上記のθ波の強度を高める行動の少なくともいずれかを促す情報である。第１情報は、以下のα波の強度を高める行動として例示した行動の少なくともいずれかを促す情報であってもよい。第１情報は、さらに他の行動を促す情報であっても良い。また、第１情報は、複数の行動の組み合わせを促す情報であっても良い。いくつかの動作を同時に行うことで、より効果を高められる場合があり、有効である。この場合、複数の第１情報が互いに異なっているとは、組み合わせに含まれる少なくとも一部の行動が異なることをいう。
【００１９】
α波の強度を高める行動としてはたとえば、アロマテラピーをする（たとえばアロマキャンドルをともしたりアロマ入浴をしたりする）、水の音（滝の音、川の音、波の音など）を聞く、リラックスできる音楽を聴く、鳥のさえずりを聞く、ヨガ、瞑想、深呼吸等をする、温泉に入る、岩盤浴をする、自然に触れる、月を見る、太陽の光を浴びる、花を見る、空を見る、夕焼けを見る、１／ｆの揺らぎを感じられるものを見たり聴いたりするといった行動が挙げられる。
【００２０】
たとえば複数の第１情報は予め記憶部１７０に記憶されている。出力部１１０は、記憶部１７０から複数の第１情報を読み出し、第１情報に対応する文字、図形、画像等を例えばモニタに表示させて出力する。もしくは、出力部１１０は、第１情報に対応する音声をスピーカーから出力する。モニタおよびスピーカーは、情報処理装置１０の一部であっても良いし、情報処理装置１０に接続され、別途設けられていてもよい。なお、第１情報は、ユーザが自ら情報処理装置１０に入力して記憶部１７０に記憶させ、追加できるようにしてもよい。
【００２１】
測定部１２０はユーザの脳波を測定し、第１脳波情報を生成する。測定部１２０は脳波の測定電極を複数含む。測定電極はたとえば２〜３個とすることができる。脳波の測定においては、ユーザの頭部および耳たぶにこれらの測定電極を配置する。頭部における測定電極の配置は、たとえば国際１０−２０法に従って決めることができる。耳たぶの測定電極はたとえばクリップ型の留め具によってユーザの耳たぶに固定することができる。また、他の測定電極は、たとえば粘着シート等でユーザの額に貼り付けられてもよいし、バンド等でユーザの頭部に固定されても良い。耳たぶの測定電極は基準電極であり、測定部１２０は基準電極と他の測定電極の間の電位差を測定し、第１脳波情報を生成する。第１脳波情報は、たとえば電位差の時間波形を示す情報である。なお、第１脳波情報は、電位差の時間波形を所定の単位時間毎にフーリエ変換して得られる特定の周波数帯の脳波の強度を示す情報であってもよいし、電位差の時間波形を示す情報と特定の周波数帯の脳波の強度を示す情報とを双方含む情報であってもよい。特定の周波数帯の脳波の強度については、詳しく後述する。
【００２２】
取得部１３０は、各第１情報が出力部１１０に出力され、各第１情報が示す行動をユーザが行った時の当該ユーザの第１脳波情報を、第１情報別に測定部１２０から取得する。そして、取得部１３０は取得した第１脳波情報を、その第１脳波情報が得られた時にユーザが行った行動に相当する第１情報と対応づけて記憶部１７０に記憶させる。
【００２３】
選択部１５０は、記憶部１７０が記憶している第１脳波情報に基づいて、複数の第１情報からユーザが行うべき行動を示す第２情報を選択する。具体的にはたとえば、選択部１５０は、第１脳波情報における特定の周波数帯の脳波の強度が最も高い第１情報を第２情報として選択する。すなわち、記憶部１７０に記憶された複数の第１脳波情報において、特定の周波数帯の脳波の強度が最も高い第１脳波情報を選択し、その第１脳波情報に関連づけられた第１情報を、第２情報として選択する。ここで、特定の周波数帯の脳波はたとえばδ波、θ波、α波、およびβ波のいずれかである。
【００２４】
ここで、特定の周波数帯の脳波の強度が最も高いとは、たとえば、測定部１２０で脳波の測定が行われた時間にわたるその脳波の強度の平均値が最も高いことをいう。なお、特定の周波数帯の脳波の強度が最も高いとは、測定部１２０で脳波の測定が行われた時間内においてその脳波の強度の最大値が最も高いことであってもよい。
【００２５】
特定の周波数帯の脳波の強度は、以下の様に電位差の時間波形が解析されて得られる。まず、電位差の時間波形をフィルタに通しノイズを除去する。次いで、ノイズが除去された電位差の時間波形を所定の時間毎（たとえば１分毎または５分毎）にフーリエ変換し、各脳波に対応する周波数帯の強度、すなわち振幅を、各脳波の強度として算出する。ここで、各脳波に対応する周波数帯は、δ波について０．５Ｈｚ以上４Ｈｚ未満、θ波について４Ｈｚ以上８Ｈｚ未満、α波について８Ｈｚ以上１３Ｈｚ未満、β波について１３Ｈｚ以上３０Ｈｚ未満である。
【００２６】
電位差の時間波形の解析は、たとえば測定部１２０で行われる。この場合、第１脳波情報は特定の周波数帯の脳波の強度を示す情報であるか、電位差の時間波形を示す情報と特定の周波数帯の脳波の強度を示す情報とを双方含む情報でありうる。なお、電位差の時間波形の解析は、取得部１３０または選択部１５０で行われても良い。この場合、第１脳波情報は、電位差の時間波形を示す情報でありうる。具体的には、取得部１３０が解析を行う場合、取得部１３０は測定部１２０から取得した第１脳波情報を解析して特定の周波数帯の脳波の強度を示す情報を生成し、記憶部１７０に記憶させる。電位差の時間波形の解析が予め測定部１２０または取得部１３０で行われ、各脳波の強度が第１脳波情報として、電位差の時間波形に代えて、または合わせて、記憶部１７０に記憶されることで、選択部１５０が速やかに第２情報を選択できる。一方、選択部１５０が解析を行う場合、選択部１５０は第２情報の選択に先立ち、第１脳波情報を解析して特定の周波数帯の脳波の強度を示す情報を生成して選択に使用する。
【００２７】
また、出力部１１０は、選択部１５０に選択された第２情報を出力する。出力部１１０が第２情報を出力する方法は、第１情報を出力する方法と同様である。
【００２８】
図２は、本実施形態に係る情報処理装置１０の動作を示すフローチャートである。以下では、選択部１５０が第１脳波情報におけるθ波の強度が最も高い第１情報を第２情報として選択する例について説明するが、これに限定されない。
【００２９】
まず、ユーザは測定部１２０を装着し、脳波の測定ができるようにする。そして、ユーザによる情報処理装置１０での所定の第１操作（第１情報を出力するトリガとなる操作）に応じて、出力部１１０が第１情報を出力する（ステップＳ１０）。第１操作はたとえば情報処理装置１０に設けられた操作キーや、タッチパネル画面に対する所定の操作である。第１情報は、それぞれたとえばθ波の強度を高める行動を促す情報である。
【００３０】
ステップＳ１０では、具体的にはたとえば、モニタに第１情報に応じて「目を閉じて下さい」といった文字が表示される。もしくは、スピーカーから同様の音声が出力される。また、「音楽を聴いて下さい」という表示又は音声と共に、スピーカーから音楽が出力されても良い。ユーザは出力部１１０からの出力に応じて、促された行動を行う。
【００３１】
図１４は、第１情報が出力された際の表示画面の例を複数示す図である。例として、情報処理装置１０には本体装置３０が含まれ、本体装置３０の筐体１７１には表示部１７２が設けられている。表示部１７２には、ユーザが取るべき行動を連想させる画像および文字が表示される。表示部１７２はたとえばタッチパネルであり、表示された操作アイコン１７９に触れることで、前の表示に戻ったり、次の行動を表示させたりすることができる。
【００３２】
なお、第１情報が、複数の行動の組み合わせを促す情報である場合、たとえば「頭を冷やす、音楽を演奏する、良い香りをかぐという行動を全て同時に行ってください。」という文字がモニタに表示される。さらに同時に、ペルチェ素子でユーザの頭部が冷却され、音楽が再生され、情報処理装置１０からの無線通信での制御によって外部のアロマ装置から香りが発生するようにしてもよい。
【００３３】
一方、測定部１２０は、出力部１１０が第１情報を出力し、ユーザが第１情報に示された行動を行っている間にユーザの脳波を測定して第１脳波情報を生成する。そして取得部１３０は測定部１２０から生成された第１脳波情報を取得し、当該第１情報と関連づけて記憶部１７０に記憶させる（ステップＳ１２）。測定と同時に脳波の解析が行われる場合には、測定中にどの種類の脳波が強く出ているかがモニタ等に表示され、ユーザが確認できるようにしてもよい。
【００３４】
次いで、出力部１１０は、出力すべき第１情報を全て出力したか否かを判定する（ステップＳ１３）。出力すべき第１情報を全て出力した場合とは、たとえば、予め記憶部１７０に記憶された複数の第１情報を全て出力した場合をいう。なお、出力部１１０は、予め記憶部１７０に記憶された複数の第１情報のうち、出力すべき第１情報の数として予め定められた数の第１情報を出力した場合に、出力すべき第１情報を全て出力したと判定してもよい。また、出力部１１０は、ユーザが情報処理装置１０に対して行う、第１情報の出力を止めるトリガとなる操作を受け付けた場合に、出力すべき第１情報を全て出力したと判定してもよい。
【００３５】
なお、出力部１１０に出力される第１情報の数は特に限定されない。また、記憶部１７０に予め記憶された第１情報の全てを順に出力しても良いし、予め定められた優先度の高い特定数の第１情報のみを順に出力しても良い。優先度の高い第１情報は、たとえば事前の調査によって比較的多くの人に効果がある行動を調べることにより決めることができる。
【００３６】
出力部１１０が、出力すべき第１情報を全て出力していないと判定した場合には（ステップＳ１３のＮｏ）、出力部１１０はそれまでに出力した第１情報とは異なる第１情報を出力する（ステップＳ１０）。そして同様に、生成された第１脳波情報を取得部１３０が取得し、記憶部１７０に記憶させる（ステップＳ１２）。この様にステップＳ１０およびステップＳ１２が繰り返し行われることにより、第１情報別に取得された第１脳波情報が記憶部１７０に記憶される。
【００３７】
一方、出力部１１０が、出力すべき第１情報を全て出力したと判定した場合には（ステップＳ１３のＹｅｓ）、ステップＳ１０およびステップＳ１２の繰り返しが停止される。ここまでの工程はいわゆる事前設定に相当する。ここまでの工程により、そのユーザの脳波が各第１情報に示される行動に対してどのように反応したかの情報が収集される。
【００３８】
ステップＳ１０およびステップＳ１２の繰り返しが停止された後に、ユーザは、たとえば暗記など何らかの記憶活動をしたい場合、情報処理装置１０での所定の第２操作を行う。ここで、ステップＳ１３とステップＳ１４の間の時間は特に限定されない。たとえば、事前設定が完了した後、数時間、または数日経過後に、ユーザは所定の第２操作を行ってもよい。本実施形態において第２操作は第２情報を選択するトリガとなる。第２操作はたとえば情報処理装置１０に設けられた操作キーや、タッチパネル画面に対する所定の操作である。その操作に応じて、選択部１５０は、記憶部１７０に記憶された第１脳波情報のうち、たとえばθ波の強度が最も高い第１脳波情報に対応する第１情報を、第２情報として選択する（ステップＳ１４）。そして、出力部１１０が選択された第２情報を出力する（ステップＳ１６）。なお、本実施形態において、第２操作が行われる際、ユーザは脳波の測定が可能な状況でなくても良い。
【００３９】
ユーザは、出力された第２情報に示される行動を行うことにより、たとえばθ波の強度を高め、記憶活動に適した脳の状態を実現することができる。そして、その状態で暗記等の記憶活動を行うことで、効率良く記憶をしたり、記憶を定着させたりすることができる。ユーザは第２情報に示される行動を行った後に記憶活動等の知的活動を行っても良いし、可能な範囲で第２情報に示される行動を行いながら、知的活動を行っても良い。
【００４０】
なお、ステップＳ１０からステップＳ１３のいわゆる事前設定の工程は、一人のユーザに対して少なくとも１度行われればよい。よって、上記の例では、ユーザは、暗記など何らかの記憶活動をしたい場合、２回目以降はステップＳ１０からステップＳ１３を行わずに、第２操作を行い、第２情報を提示させることができる。また、事前設定の工程と、選択部１５０が第２情報を選択する工程とは、独立に適宜行うことができるが、初めて選択部１５０が第２情報の選択を行う前には、少なくとも一度、事前設定の工程が行われている必要がある。
【００４１】
また、ユーザが第２操作を行う際に、どのような知的活動を目的とするかを情報処理装置１０に対して入力するようにしても良い。たとえば、知的活動として上記の様な記憶活動を目的とする場合には、選択部１５０はθ波の強度が最も高い第１情報を第２情報として選択し、記憶力が高まる脳の状態に誘導する。一方、知的活動として企画の創出などのような創造的活動を目的とする場合には、選択部１５０はα波の強度が最も高い第１情報を第２情報として選択し、ひらめきを発揮するのに適した状態に誘導する。知的活動としては、たとえば、何かを暗記する記憶活動、創造する創造的活動、課題を解決する課題解決活動等が挙げられる。
【００４２】
また、選択部１５０において特定の周波数帯の脳波の強度が最も高い第１情報を選択する際、上述の平均値が最も高い第１情報を選ぶか、上述の最大値が最も高い第１情報を選ぶかを、ユーザが設定した作業の目的に応じて決定しても良い。たとえば、長時間の継続的な知的活動を目的とする場合には、平均値すなわち持続値が高いことが好ましく、短時間の瞬発的な効果が必要である場合には最大値すなわち瞬間値が高いことが好ましいからである。
【００４３】
また、情報処理装置１０が学習用装置に含まれる場合には、θ波の強度が最も高い第１情報が第２情報として出力された後に、暗記すべき問題（たとえば外国語の単語）がさらにモニタ等に出力されるようにしても良い。
【００４４】
また、特定の周波数帯の脳波としてδ波、θ波、α波、およびβ波を例示したが、これらの脳波として定義された周波数帯とは異なる周波数帯の脳波を対象として解析が行われ、第２情報の選択が行われても良い。たとえば、瞑想やヨガ等を行った時に強まる覚醒θ波と呼ばれる脳波がさらに存在し、この覚醒θ波が一番記憶に適しているとも考えられている。
【００４５】
また、脳波は脳血流量とも関連があるため、測定部１２０が直接脳波を測定する代わりに脳血流量を測定し、脳波の状況を示す情報に変換して、第１脳波情報が生成されても良い。
【００４６】
また、本実施例に係る情報処理装置１０は、タイマー機能を備え、ユーザに事前に設定された時刻に第２操作が自動でされるようにしてもよい。
【００４７】
以上、本実施形態によれば、出力部１１０は、それぞれが互いに異なる行動を促す複数の第１情報を出力する。取得部１３０は、第１情報が示す行動をユーザが行った時の当該ユーザの第１脳波情報を、第１情報別に取得して記憶部１７０に記憶させる。そして選択部１５０は、記憶部１７０が記憶している第１脳波情報に基づいて、複数の第１情報からユーザが行うべき行動を示す第２情報を選択する。したがって、ユーザに、ある目的の行動をとるときに適した脳の状態を作り出すために、先行してとるべき行動としてより効果的な行動を提示することができる。
【００４８】
（実施例１）
図３は、実施例１に係る情報処理装置１０の機能構成を示すブロック図である。本実施例に係る情報処理装置１０および情報処理方法は、以下に説明する点を除いて実施形態に係る情報処理装置１０および情報処理方法と同様である。
【００４９】
本実施例において、取得部１３０は、第２情報を選択しようとするタイミングでユーザの第２脳波情報を取得する。また、選択部１５０は、第２脳波情報が事前に定められた基準を満たさない場合、第１脳波情報に含まれる特定の周波数帯の脳波の強度に基づいて第２情報を選択する。
【００５０】
なお、以下では、特定の周波数帯の脳波がθ波である例について説明するが、これに限定されない。
【００５１】
図４は、本実施例に係る情報処理装置１０の動作を示すフローチャートである。本実施例において、ステップＳ１０からステップＳ１３は実施形態と同様である。
【００５２】
その後ユーザは、知的活動をしたい場合、測定部１２０を装着し脳波の測定ができるようにした上で、情報処理装置１０での所定の第２操作を行う。本実施例において、第２操作はステップＳ２０のトリガとなる。この第２操作に応じて、測定部１２０は、ユーザの脳波の測定を開始し、第２脳波情報を生成する。そして、取得部１３０が生成された第２脳波情報を測定部１２０から取得する（ステップＳ２０）。
【００５３】
次いで、判定部１４０は、取得された第２脳波情報が、事前に定められた基準を満たすか否かを判定する（ステップＳ２２）。当該基準はたとえば、予め行った複数の人への調査に基づき決定し、記憶部１７０に記憶させておくことができる。そして、それを判定部１４０が読み出して取得することができる。以下、特に説明がない限り各基準について同様である。第２脳波情報に対する基準は、例えばθ波の強度について定められており、θ波の強度が基準値以上である場合、判定部１４０は基準を満たすと判定し（ステップＳ２２のＹｅｓ）、基準値未満である場合、判定部１４０は基準を満たさないと判定する（ステップＳ２２のＮｏ）。なお、当該基準はθ波の相対的な強度、すなわちα波等、他の特定の脳波の強度を基準とした相対値について定められていても良い。
【００５４】
第２脳波情報が事前に定められた基準を満たす場合（ステップＳ２２のＹｅｓ）、出力部１１０は、知的活動を促す情報を出力する（ステップＳ２６）。こうすることにより、θ波の強度が十分に高い状態であること、すなわち、記憶活動等の知的活動に適した状態であることを確認することができる。また、その後に知的活動を行うことで、効率的な知的活動が行える。また、取得された第２脳波情報に基づき暗記容易度を判定して示す様にしても良い。暗記容易度は、たとえばθ波の強度が高いほど高いと判定することができる。
【００５５】
図１５は、知的活動を促す情報が出力された際の表示画面の例を示す図である。たとえば出力部１１０は、モニタに「暗記を開始して下さい。」等の文字と関連する画像を表示することで知的活動を促す情報を出力する。もしくは、出力部１１０は、知的活動を促す情報の出力として、図形、画像、音声等の出力を行っても良い。また、本図の例では、あわせてθ波が優勢であることをユーザに知らせる表示をしている。
【００５６】
一方、第２脳波情報が事前に定められた基準を満たさない場合（ステップＳ２２のＮｏ）、実施形態の方法と同様に、選択部１５０は、第１脳波情報に含まれるθ波の強度に基づいて第２情報を選択し（ステップＳ１４）、出力部１１０は、選択された第２情報を出力する（ステップＳ１６）。
【００５７】
第２情報が出力されると、ユーザは第２情報に示された行動をとり、測定部１２０は再度脳波を測定し、第２脳波情報を生成する。そして、取得部１３０は第２脳波情報を取得する（ステップＳ２０）。そうして、ステップＳ２２において、第２脳波情報が基準を満たすと判定されるまで繰り返し第２情報が選択され、出力される。
【００５８】
この際、選択部１５０は、第１脳波情報における特定の周波数帯の脳波の強度が高い順に第２情報を選択する。そして、出力部１１０は、上述の様に選択部１５０が選択した第２情報を出力する。また、第２情報を出力した後、所定時間内に第２脳波情報における特定の周波数帯の脳波の強度が事前に定められた基準を満たすようにならなかった場合、次の第２情報を出力する。こうすることにより、そのユーザにとって効果的な行動を順に試みることができる。
【００５９】
本実施例では具体的には、前回の第２情報の出力から所定時間経過するまで、測定部１２０は脳波を測定する。そして、取得部１３０はその結果を示す第２脳波情報を取得する。取得された第２脳波情報が、判定部１４０における判定に用いられる。選択部１５０は、判定部１４０の判定毎に異なる第２情報を、θ波の強度が高い順に選択する。
【００６０】
なお、出力部１１０は、事前に定められた基準の数以上の第２情報を出力した後、第２脳波情報における当該特定の周波数帯の脳波の強度が事前に定められた基準を満たすようにならなかった場合、ユーザに休憩を取ることを促す情報を出力するようにしてもよい。すなわち、ステップＳ２２において、第２脳波情報が基準を満たさないと判定された場合（ステップＳ２２のＮｏ）、第２情報が既に基準の回数以上、出力されたか否かをさらに判定してもよい。その判定において、基準の回数以上出力されていた場合は休憩を促す出力を出力部１１０が行う。一方、未だ基準の回数以上出力されていなかった場合はさらに第２情報が選択され（ステップＳ１４）、出力される（ステップＳ１６）。
【００６１】
また、取得部１３０が、第２情報が示す行動をとった時のユーザの第３脳波情報を用いて、記憶部１７０における、当該第２情報に対応する第１情報の第１脳波情報を更新するようにしてもよい。そうすることにより、ユーザの脳の反応について、蓄積される情報の精度が向上し、そのユーザにとってより効果的な行動を提示できる。なお、上記のフローにおいて、第３脳波情報は、２回目以降の第２脳波情報に相当する。
【００６２】
この場合、取得部１３０は、たとえば第３脳波情報をそのまま最新の情報として、第１脳波情報を書き換えても良い。もしくは、第１脳波情報がθ波、α波、およびβ波等の各強度の値を含む場合には、それらの強度と第３脳波情報のθ波、α波、およびβ波の強度との平均値をそれぞれ求め、求められた各平均値を新たな第１脳波情報に含まれる各強度として更新しても良い。
【００６３】
また、第２脳波情報が基準を満たすか否かを判定するステップＳ２２において、当該基準には、たとえば上述したようなθ波の強度の下限値に加えて、上限値が定められていても良い。そして、当該強度が上限値を超える場合には、出力部１１０がユーザに休憩を促す出力を行うようにしても良い。
【００６４】
また、出力部１１０が第２脳波情報を出力する際には同時に、ユーザの頭部に測定電極とあわせて設けられたペルチェ素子等を用い、ユーザの頭を冷やすようにしても良い。また、バイブレータなどで、ユーザに心地よい刺激を与えてもよい。そうすることで、θ波の強度をより効率的に高めることができる。
【００６５】
また、知的活動を促す出力を行ったステップＳ２６の後、引き続き測定部１２０が脳波の測定を行っても良い。その場合、たとえばユーザが記憶活動を行っている間にθ波の強度をモニタし、当該強度が低下して事前に定められた基準の値以下になった場合に、再度出力部１１０が第２情報を出力するようにしても良い。
【００６６】
また、知的活動を促す出力を行ったステップＳ２６の後、引き続き測定部１２０が脳波の測定を行う場合であって、θ波の強度が高い状態（たとえば、ステップＳ２２で判定に用いた基準の下限以上である状態）が事前に定められた基準の時間（たとえば、θ波の場合は１５〜２０分程度）以上の間続いた場合に、出力部１１０が休憩を促す出力を行うようにしてもよい。そうすることにより、疲労等によって知的活動の効率が下がるのを防ぐことができる。加えて、たとえば、知的活動中も引き続き脳波を測定し続け、θ波の強度が基準の値以下になった場合に、θ波の強度が低下した事実をユーザに知らせると共に、休息を促す出力を行うようにしてもよい。このようにすることも、疲労等によって知的活動の効率が下がるのを防ぐのに有効である。
【００６７】
以上、本実施例によれば、取得部１３０は、第２情報を選択しようとするタイミングでユーザの第２脳波情報を取得する。また、選択部１５０は、第２脳波情報が事前に定められた基準を満たさない場合、第１脳波情報に含まれる特定の周波数帯の脳波の強度に基づいて第２情報を選択する。したがって、ユーザの脳の状態の応答を確認することができる。
【００６８】
（実施例２）
図５は、実施例２に係る情報処理装置１０の動作を示すフローチャートである。本実施例において、本実施例に係る情報処理装置１０および情報処理方法は、以下に説明する点を除いて実施例１に係る情報処理装置１０および情報処理方法と同様である。
【００６９】
本実施例において選択部１５０は、第２脳波情報に含まれるβ波の強度が事前に定められた基準を満たす場合、第２情報を選択する前に、α波の強度を高めるためにユーザが行うべき行動を示す情報を複数の第１情報から選択する。
【００７０】
θ波の強度を高めようとするとき、ユーザの脳波においてβ波の強度が高い場合には、その状態からθ波の強度が高い状態に直接移ることは難しい。代わりに、β波の強度が高い状態から一度α波が高い状態に移り、その後、θ波の強度が高い状態に移ることにより、θ波の強度を高めやすくなる。そこで本実施例においては、β波の強度が強い場合に、選択部１５０はθ波の強度を高めるためにユーザが行うべき行動を示す情報を選択する前に、α波の強度を高めるためにユーザが行うべき行動を示す情報を複数の第１情報から選択する。以下に詳しく説明する。
【００７１】
まず、本実施例において、ステップＳ１０からステップＳ１３、およびステップＳ２０は実施例１と同様である。ただし、本実施例において、ステップＳ１０で出力される複数の第１情報は、θ波の強度を高める行動を促す情報と、α波の強度を高める行動を促す情報とを含む。
【００７２】
ステップＳ２０に次いで、判定部１４０は、取得部１３０で取得された第２脳波情報におけるθ波の強度が、事前に定められた基準を満たすか否かを判定する（ステップＳ２２０）。θ波の強度が基準値以上である場合、判定部１４０は基準を満たすと判定し（ステップＳ２２０のＹｅｓ）、基準値未満である場合、判定部１４０は基準を満たさないと判定する（ステップＳ２２０のＮｏ）。なお、当該基準はθ波の相対的な強度、すなわちα波等、他の特定の脳波の強度を基準とした相対値について定められていても良い。
【００７３】
θ波の強度が事前に定められた基準を満たす場合（ステップＳ２２０のＹｅｓ）、出力部１１０は、知的活動を促す情報を出力する（ステップＳ２６）。こうすることにより、θ波の強度が十分に高い状態であること、すなわち、記憶活動等の知的活動に適した状態であることを確認することができる。また、その後に知的活動を行うことで、効率的な知的活動が行える。また、取得された第２脳波情報に基づき暗記容易度を判定して示す様にしても良い。暗記容易度は、たとえばθ波の強度が高いほど高いと判定することができる。
【００７４】
一方、θ波の強度が事前に定められた基準を満たさない場合（ステップＳ２２０のＮｏ）、判定部１４０はさらに、第２脳波情報におけるα波の強度が、事前に定められた基準を満たすか否かを判定する（ステップＳ２２２）。α波の強度が基準値以上である場合、判定部１４０は基準を満たすと判定し（ステップＳ２２２のＹｅｓ）、基準値未満である場合、判定部１４０は基準を満たさないと判定する（ステップＳ２２２のＮｏ）。なお、当該基準はα波の相対的な強度、すなわちθ波等、他の特定の脳波の強度を基準とした相対値について定められていても良い。
【００７５】
α波の強度が事前に定められた基準を満たす場合（ステップＳ２２２のＹｅｓ）、脳はθ波を高めるのに適した状態であるといえる。そこで、選択部１５０はθ波の強度を高めるためにユーザが行うべき行動を示す情報を第２情報として複数の第１情報から選択する（ステップＳ１４）。また、選択された第２情報を出力部１１０が出力する（ステップＳ１６）。ここで、ステップＳ１４およびステップＳ１６は、実施例１で説明したのと同様に行うことができる。
【００７６】
ユーザは、出力された第２情報に示される行動を行うことにより、θ波の強度を高めることができる。そして再度ステップＳ２０に戻り、取得部１３０は当該行動を行っているユーザの第２脳波情報をさらに取得する。
【００７７】
一方、α波の強度が事前に定められた基準を満たさない場合（ステップＳ２２２のＮｏ）、脳はθ波の強度を高めるのに適した状態ではないといえる。そこで、判定部１４０はさらに、第２脳波情報におけるβ波の強度が、事前に定められた基準を満たすか否かを判定する（ステップＳ２２４）。β波の強度が基準値以上である場合、判定部１４０は基準を満たすと判定し（ステップＳ２２４のＹｅｓ）、基準値未満である場合、判定部１４０は基準を満たさないと判定する（ステップＳ２２４のＮｏ）。なお、当該基準はβ波の相対的な強度、すなわちθ波等、他の特定の脳波の強度を基準とした相対値について定められていても良い。また、θ波の基準、α波の基準、β波の基準は、それぞれ独立した値とすることができる。
【００７８】
β波の強度が事前に定められた基準を満たす場合（ステップＳ２２４のＹｅｓ）、脳はα波の強度を高めるのに適した状態であるといえる。そこで、選択部１５０はα波の強度を高めるためにユーザが行うべき行動を示す第３情報を複数の第１情報から選択する。そして、出力部１１０が選択された第３情報を出力する（ステップＳ３０）。具体的には、選択部１５０は、記憶部１７０に記憶された複数の第１脳波情報において、α波の強度が最も高い第１脳波情報を選択し、その第１脳波情報に関連づけられた第１情報を、第３情報として選択する。出力部１１０が第３情報を出力する方法は、出力部１１０が第１情報や第２情報を出力する方法と同様である。
【００７９】
ユーザは、出力された第３情報に示される行動を行うことにより、α波の強度を高めることができる。そして再度ステップＳ２０に戻り、取得部１３０は当該行動を行っているユーザの第２脳波情報をさらに取得する。
【００８０】
ステップＳ３０が繰り返し行われる場合、選択部１５０は、たとえば、第１脳波情報におけるα波の強度が高い順に第３情報を選択する。そして、上述の様に出力部１１０は、選択部１５０が選択した第３情報を出力する。また、第３情報を出力した後、所定時間内に第２脳波情報におけるα波の強度が事前に定められた基準を満たすようにならなかった場合、次の第３情報を出力する。こうすることにより、そのユーザにとって効果的な行動を順に試みることができる。
【００８１】
本実施例では具体的には、前回の第３情報の出力から所定時間経過するまで、測定部１２０は脳波を測定する。そして、取得部１３０はその結果を示す第２脳波情報を取得し、取得された第２脳波情報がθ波の強度が基準を満たすかどうかの判定（ステップＳ２２０）に用いられる。基準を満たさなかった場合、さらにα波の強度が基準を満たすかどうかの判定が行われる（ステップＳ２２２）。ここでも基準を満たさずステップＳ２２４を経て第３情報を選択する場合に（ステップＳ３０）、選択部１５０はステップＳ２２２の判定毎に異なる第３情報を、α波の強度が高い順に選択する。
【００８２】
一方、β波の強度が事前に定められた基準を満たさない場合（ステップＳ２２４のＮｏ）、脳は、α波の強度を高めるのに適した状態ではないといえる。たとえば睡眠状態にある場合などである。そこで、出力部１１０は、ユーザを目覚めさせる出力を行う（ステップＳ３２）。たとえば、スピーカーからアラームを発したり、バイブレータを振動させたりする。こうすることで、情報処理装置１０が上述のようなタイマー機能を備え、設定された時刻にユーザが睡眠状態にある場合でも、知的活動に導くことができる。
【００８３】
出力部１１０が目覚めさせる出力を行った後、再度ステップＳ２０に戻り、取得部１３０はユーザの第２脳波情報をさらに取得する。
【００８４】
以上、本実施例によれば、選択部１５０は、第２脳波情報に含まれるβ波の強度が事前に定められた基準を満たす場合、第２情報を選択する前に、α波の強度を高めるためにユーザが行うべき行動を示す情報を複数の第１情報から選択する。したがって、θ波の強度をスムーズに高めることができる。
【００８５】
（実施例３）
図６は、実施例３に係る情報処理装置１０の動作を示すフローチャートである。本実施例において、本実施例に係る情報処理装置１０および情報処理方法は、以下に説明する点を除いて実施形態に係る情報処理装置１０および情報処理方法と同様である。
【００８６】
本実施例に係る出力部１１０は、第２脳波情報に含まれるα波の強度およびβ波の強度のいずれもが事前に定められた基準を満たさない場合、ユーザに目覚めを促す情報を出力する。そうすることで、ユーザはα波またはβ波の強度が高い状態で記憶のより強い定着を図ることができる。一度記憶した事項については、さらに思い出す作業をすることで脳への定着が促進され、思い出す作業は、とりわけα波またはβ波の強度が高い状態で行うのが効率的だからである。
【００８７】
本実施例に係る情報処理装置１０は、判定部１４０を備え、図３で示した構成と同様の構成とすることができる。
【００８８】
図６を用いて本実施例に係る情報処理装置１０の動作を説明する。本実施例において、ステップＳ１０からステップＳ１６は実施形態と同様である。
【００８９】
ステップＳ１６において、第２情報が出力された後、ユーザは第２情報に示された行動をとり、記憶活動を行う。本実施形態に係る判定部１４０は、出力部１１０が第２情報を出力してから基準の時間が経過したか否かをモニタする（ステップＳ４０）。基準の時間はたとえばユーザが情報処理装置１０に設定した時間を用いることができる。
【００９０】
基準の時間が経過したとき（ステップＳ４０のＹｅｓ）、取得部１３０は第２脳波情報を取得する（ステップＳ４２０）。ステップＳ４２０は実施例１で説明したステップＳ２０と同様に行うことができる。
【００９１】
次いで、判定部１４０は、取得部１３０が取得した第２脳波情報において、α波の強度が事前に定められた基準を満たすか否かを判定する（ステップＳ４２２）。ここで、ステップＳ４２２は、実施例２で説明したステップＳ２２２と同様に行うことができる。
【００９２】
α波の強度が基準を満たすと判定された場合（ステップＳ４２２のＹｅｓ）、出力部１１０は、記憶の確認を促す情報の出力を行う（ステップＳ４６）。たとえば出力部１１０は、モニタに「記憶の確認を開始して下さい。」等の文字を表示することで記憶の確認を促す情報を出力する。もしくは、出力部１１０は、記憶の確認を促す情報の出力として、図形、画像、音声等の出力を行っても良い。
【００９３】
ユーザは、記憶の確認を促す出力に応じて、ステップＳ１６の後の記憶活動で記憶した事項の思い出し作業をする。こうすることで、ユーザはα波の強度が高い状態であることを確認し、効率良く記憶の確認を行うことができる。なお、情報処理装置１０が学習用装置に含まれる場合には、思い出し作業をすべき問題（たとえば外国語の単語）がさらにモニタ等に出力されるようにしても良い。そして、不正解であった場合には、再度記憶し直すよう促す表示がされても良い。
【００９４】
一方、α波の強度が基準を満たさないと判定された場合（ステップＳ４２２のＮｏ）、判定部１４０はさらに、第２脳波情報においてβ波の強度が事前に定められた基準を満たすか否かを判定する（ステップＳ４２４）。ここで、ステップＳ４２４は、実施例２で説明したステップＳ２２４と同様に行うことができる。
【００９５】
β波の強度が基準を満たすと判定された場合（ステップＳ４２４のＹｅｓ）、出力部１１０は、記憶の確認を促す情報の出力を行う（ステップＳ４６）。ステップＳ４６は、上述した方法と同様に行うことができる。こうすることで、ユーザはβ波の強度が高い状態であることを確認し、効率良く記憶の確認を行うことができる。
【００９６】
一方、β波の強度が基準を満たさないと判定された場合（ステップＳ４２４のＮｏ）、出力部１１０は、ユーザを目覚めさせる出力（目覚めを促す情報の出力）を行う（ステップＳ４３２）。ステップＳ４３２は、実施例２で説明したステップＳ３２と同様の方法で行うことができる。
【００９７】
出力部１１０が目覚めさせる出力を行った後、再度ステップＳ４２０に戻り、取得部１３０はユーザの第２脳波情報をさらに取得する。こうして、α波またはβ波の強度が基準を満たす様になるまで、繰り返される。
【００９８】
なお、本実施例の方法を実施例１または２の方法に組み合わせる場合には、判定部１４０はステップＳ４０において、知的活動を促す出力がされるステップＳ２６が行われた時から基準の時間が経過したか否かをモニタするようにする。
【００９９】
以上、本実施例によれば、出力部１１０は、第２脳波情報に含まれるα波の強度およびβ波の強度のいずれもが事前に定められた基準を満たさない場合、ユーザに目覚めを促す情報を出力する。したがって、ユーザはα波またはβ波の強度が高い状態で効率的に思い出す作業をすることができ、記憶の定着を図ることができる。
【０１００】
（実施例４）
実施例４において、本実施例に係る情報処理装置１０および情報処理方法は、以下に説明する点を除いて実施形態に係る情報処理装置１０および情報処理方法と同様である。
【０１０１】
本実施例に係る取得部１３０は、第１脳波情報を時刻別に記憶部１７０に記憶させ、選択部１５０は第２情報を選択しようとする時刻の第１脳波情報に基づいて第２情報を選択する。
【０１０２】
同じユーザであっても、ある行動を取ったときの脳波の応答は、時間帯によって異なる。本実施例では、第１脳波情報が時刻別に記憶され、時刻を加味して第２情報が選択、出力される。よって、その時のユーザにとってより効果的な行動が提示される。なお、時刻には幅があってもよい。すなわち、各時刻は「６時〜９時」といったように、幅をもって定義される時刻帯であっても良い。
【０１０３】
本実施例に係る情報処理方法は、図２に示したのと同じフローで表される。
【０１０４】
本実施例のステップＳ１２において、取得部１３０は、第１脳波情報を記憶部１７０に記憶させる際、その第１脳波情報が取得された時刻と、第１脳波情報とを関連づけて記憶させる。異なる複数の時刻において、取得部１３０が第１脳波情報を取得し、同様に記憶させることにより、各時刻について第１脳波情報が蓄積される。時刻によって、特定の脳波の強度が最も高い第１情報や、当該強度が高い第１情報の順は変わりうる。なお、必ずしも全ての時刻について第１脳波情報が記憶される必要は無い。
【０１０５】
また、本実施例において選択部１５０は、ステップＳ１４において第２情報を選択する際、第２情報を選択しようとする時刻の第１脳波情報に基づいて第２情報を選択する。すなわち、第２情報を選択しようとする時刻と同じ時刻に関連づけられた第１脳波情報を用い、実施形態や実施例１で説明したのと同様の方法で第２情報を選択する。ここで、第２情報を選択しようとする時刻の第１脳波情報が記憶部１７０に記憶されていない場合には、最も近い時刻の第１脳波情報に基づいて、第２情報を選択できる。第２情報を選択しようとする時刻はたとえば、上述の第２操作が行われた時刻である。なお、本実施例の方法を実施例１または２の方法に適用する場合には、第２情報を選択しようとする時刻はたとえば、取得部１３０が第２脳波情報を取得した時刻である。
【０１０６】
なお、取得部１３０はステップＳ１２において、第１脳波情報を場所別に記憶部１７０に記憶させ、選択部１５０はステップＳ１４において、第２情報を選択しようとする場所の第１脳波情報に基づいて第２情報を選択するようにしてもよい。場所はたとえば、自室、職場、屋外等である。時刻のみならず、ユーザの場所によっても、特定の行動に対する脳波の応答は異なる場合がある。この様な場合でも、ユーザにとってより効果的な行動が提示される。ユーザの場所は上記第１操作を行う際、および上記第２操作を行う際にユーザが情報処理装置１０に対して入力し、取得部１３０や選択部１５０がこれを取得して用いることができる。
【０１０７】
また、実施例１で説明した様に、取得部１３０が、第２情報が示す行動をとった時のユーザの第３脳波情報を用いて、記憶部１７０における、当該第２情報に対応する第１情報の第１脳波情報を更新するようにする場合には、以下の様にすることができる。すなわち、取得部１３０は、第３脳波情報が取得された時刻に対応する時刻の第１脳波情報を更新する。
【０１０８】
また、本実施例の方法を実施例２の方法に適用する場合には、選択部１５０がα波の強度を高めるためにユーザが行うべき行動を示す第３情報を複数の第１情報から選択する際にも同様にすることができる。すなわち、第３情報を選択しようとする時刻の第１脳波情報に基づいて第３情報を選択できる。
【０１０９】
以上、本実施例によれば、取得部１３０は、第１脳波情報を時刻別に記憶部１７０に記憶させ、選択部１５０は第２情報を選択しようとする時刻の第１脳波情報に基づいて第２情報を選択する。したがって、その時のユーザにとってより効果的な行動が提示される。
【０１１０】
（実施例５）
図７は、実施例５に係る情報処理装置１０の機能構成を示すブロック図である。本実施例に係る情報処理装置１０および情報処理方法は、以下に説明する点を除いて実施形態に係る情報処理装置１０および情報処理方法と同様である。
【０１１１】
本実施例に係る第１脳波情報は、第１情報が示す行動をとり始めてからの時間と特定の周波数帯の脳波の強度との関係を示す情報を含む。そして、選択部１５０は、ユーザに設定された特定の行動を開始するまでの時間に基づいて、第２情報を選択する。
【０１１２】
図８は、ユーザが第１情報が示す行動を取り始めてからの時間（以下、「誘導時間」と呼ぶ。）と、θ波の強度変化量との関係を例示する図である。強度変化量はたとえば、出力部１１０が第１情報を出力し始めたときを基準とした変化量である。本図の例では、誘導時間が１２分までの場合は、バイノーラルによって最もθ波の強度を高められることが分かる。一方、誘導時間が１３分を超える場合には、音楽を聴くことによって最もθ波の強度を高められることが分かる。このように、誘導時間をどれだけ確保できるかによって、θ波の強度を高めるのに適した行動は異なる。
【０１１３】
本実施例では、ユーザに設定された特定の行動を開始するまでの時間を、確保できる誘導時間として加味して選択部１５０が第２情報を選択するため、ユーザにとってより効果的な行動を提示できる。情報処理装置１０は、本図の様なグラフを表示部に表示しても良い。そうすれば、ユーザは自分の脳波の反応の傾向を直感的に理解しやすくなる。
【０１１４】
図７に戻り、本実施例に係る情報処理装置１０は、設定部１９０をさらに備える。設定部１９０は、たとえば情報処理装置１０に設けられた操作キーや、タッチパネル画面を含む。ユーザは操作キーを操作したり、タッチパネル画面を操作したりすることで、設定部１９０に特定の行動を開始するまでの時間を入力できる。
【０１１５】
本実施例に係る情報処理方法は、図２に示したのと同じフローで表される。
【０１１６】
本実施例において、取得部１３０が取得する第１脳波情報は、第１情報が示す行動をユーザがとり初めてからの時間と、特定の脳波の強度との関係を示す情報を含む。このような第１脳波情報はたとえば、測定部１２０が測定した上記電位差の時間波形を、所定の単位時間毎に解析して得られる。ここで、出力部１１０が第１情報を出力した時点を、第１情報が示す行動をユーザがとり始めた時点とすることができる。
【０１１７】
ユーザは上記第２操作を行う際に、特定の行動を開始するまでの時間を設定部１９０に対して入力することができる。入力された特定の行動を開始するまでの時間が上記した誘導時間に対応する。特定の行動を開始するまでの時間は、たとえば、ユーザが、知的活動を始める前にどれくらい時間を取ることができるかを考慮して決めることができる。もしくは、既に知的活動を行っていて休憩をとる場合に、取ろうとする休憩時間に応じて決めることができる。この場合、ユーザは、知的活動を再開する時に良好な脳の状態を実現するために、どのように休憩を過ごすべきかを、出力される第２情報により知ることができる。
【０１１８】
選択部１５０は、設定部１９０から、暗記等、特定の行動（目的の行動）を開始するまでの時間を示す情報を取得する。そして本実施例に係る選択部１５０は、ステップＳ１４において、ユーザに設定された特定の行動を開始するまでの時間に基づいて、第２情報を選択する。具体的には、選択部１５０は、特定の行動を開始するまでの時間に対応する誘導時間において、複数の第１脳波情報を比較する。そして、選択部１５０は、当該誘導時間における特定の周波数の脳波の強度が最も高い第１情報を、第２情報として選択する。
【０１１９】
また、本実施例の方法を実施例２の方法に適用する場合には、選択部１５０がα波の強度を高めるためにユーザが行うべき行動を示す第３情報を複数の第１情報から選択する際にも同様にすることができる。
【０１２０】
以上、本実施例によれば、第１脳波情報は、第１情報が示す行動をとり始めてからの時間と特定の脳波の強度との関係を示す情報を含む。そして、選択部１５０は、ユーザに設定された特定の行動を開始するまでの時間に基づいて、第２情報を選択する。したがって、ユーザが確保できる時間に応じてより効果的な行動を提示できる。
【０１２１】
（実施例６）
図９は、実施例６に係る情報処理装置１０の使用方法を、その使用環境とともに示す図である。本実施例において、複数の情報処理装置１０は、通信網４０を介して同一のサーバー５０に接続している。複数の情報処理装置１０は、互いに異なるユーザに使用されている。そして、情報処理装置１０の使用結果がサーバー５０に送信される。
【０１２２】
サーバー５０は、送信されたデータを用いて統計データを生成する、この統計データは通信網４０を介して情報処理装置１０に送信される。
【０１２３】
図１０は、本実施例において、情報処理装置１０が表示する画面の一例を示す図である。上記したように、情報処理装置１０は、サーバー５０から統計データを受信する。情報処理装置１０は、この統計データを、情報処理装置１０のユーザの使用結果と共に表示する。本図に示す例では、統計データは、各ユーザが特定の行動をとったときの、誘導時間とθ波の強度変化量との関係を示している。情報処理装置１０のユーザは、この表示を見ることにより、他の人と比較して、自分の脳がどのような傾向を有しているかを容易に把握することができる。また、他のユーザの情報を見て、特定の周波数の脳波の強度を向上させるために有効な行動や行動の組み合わせを知ることができる。
【０１２４】
以上、本実施例によれば、情報処理装置１０が複数のユーザの統計データを表示する。そのことにより、ユーザは、他の人と比較して、自分の脳がどのような傾向を有しているかを容易に把握することができる。
【０１２５】
（実施例７）
図１１は、実施例７に係る情報処理装置１０の構成を示す図である。本実施例において、情報処理装置１０は、測定装置２０および本体装置３０により構成される。測定装置２０と本体装置３０とは、無線または有線で接続されている。上述した出力部１１０、取得部１３０、判定部１４０、選択部１５０、設定部１９０、および記憶部１７０は、本体装置３０に備えられたＣＰＵ、メモリ、メモリにロードされたプログラム、そのプログラムを格納するハードディスクなどの記憶メディア、ネットワーク接続用インタフェース等の組合せによって実現される。また、上述した測定部１２０は、測定装置２０に備えられている。
【０１２６】
図１２は、本実施例における本体装置３０を示す図である。本実施例において、本体装置３０は、携帯電話またはスマートフォンであり、筐体１７１を有している。筐体１７１の表面には、表示部１７２、操作部１７８、ＬＥＤ１７４、およびスピーカー１７６が設けられている。表示部１７２、ＬＥＤ１７４、およびスピーカー１７６は出力部１１０として機能し得る。また、操作部１７８は、設定部１９０として機能し得る。なお、表示部１７２がタッチパネルディスプレイである場合、表示部１７２が設定部１９０としてさらに機能してもよい。
【０１２７】
図１３は、本実施例における測定装置２０をユーザが装着した状態示す図である。測定装置２０は、ベルト２４、センサ部２２、およびセンサ部２３を備える。センサ部２２およびセンサ部２３はそれぞれ上述した脳波の測定電極を備える。センサ部２２とセンサ部２３は互いに図示しない電線で結ばれている。センサ部２３は、クリップを備えており、測定電極を耳たぶに固定する。センサ部２３に備えられた測定電極が基準電極となる。一方、センサ部２２は、測定電極が額の所定の位置にあたるようベルト２４によって固定される。センサ部２２およびセンサ部２３に備えられた測定電極により、ユーザの脳波が測定される。
【０１２８】
たとえば本体装置３０から受信した制御信号に基づいて測定装置２０で脳波が測定され、測定された脳波を示す情報は本体装置３０に送信される。なお、測定部１２０のうち、一部の演算部分は本体装置３０に含まれていても良い。また、測定装置２０には、ペルチェ素子が内蔵され、ユーザの頭部を冷やしたり、暖めたりできるようにしてもよい。
【０１２９】
以上、図面を参照して実施形態および実施例について述べたが、これらは本発明の例示であり、上記以外の様々な構成を採用することもできる。たとえば、上述の実施形態および各実施例は、内容が相反しない範囲で組み合わせることができる。
【符号の説明】
【０１３０】
１０ 情報処理装置
１１０ 出力部
１２０ 測定部
１３０ 取得部
１４０ 判定部
１５０ 選択部
１７０ 記憶部
１７１ 筐体
１７２ 表示部
１７４ ＬＥＤ
１７６ スピーカー
１７８ 操作部
１７９  操作アイコン
１９０ 設定部
２０ 測定装置
２２ センサ部
２３ センサ部
２４ ベルト
３０ 本体装置
４０ 通信網
５０ サーバー
【図１】
0006608706.tif 000002
【図２】
0006608706.tif 000003
【図３】
0006608706.tif 000004
【図４】
0006608706.tif 000005
【図５】
0006608706.tif 000006
【図６】
0006608706.tif 000007
【図７】
0006608706.tif 000008
【図８】
0006608706.tif 000009
【図９】
0006608706.tif 000010
【図１０】
0006608706.tif 000011
【図１１】
0006608706.tif 000012
【図１２】
0006608706.tif 000013
【図１３】
0006608706.tif 000014
【図１４】
0006608706.tif 000015
【図１５】
0006608706.tif 000016